(57)【要約】【課題】本考案は、衝撃や圧力を受けた時に破損しない弾性ペンを提供する。【解決手段】本考案による弾性ペンは、ペングリップ内のペン芯棒の適切な箇所に係止部が設けられるとともに、ペン芯棒には弾性部材が被せられ、弾性部材は係止部に当接し、ペン芯棒上端には圧力吸収棒が被せられ、圧力吸収棒の底端は弾性部材に当接し、圧力吸収棒の頂端はペングリップ上端に当接する。【選択図】図３
0003170792.tif 000002
【実用新案登録請求の範囲】
【請求項１】
ペングリップ内のペン芯棒の適切な箇所に係止部が設けられるとともに、ペン芯棒には弾性部材が被せられ、弾性部材は係止部に当接し、ペン芯棒上端には圧力吸収棒が被せられ、圧力吸収棒の底端は弾性部材に当接し、圧力吸収棒の頂端はペングリップ上端に当接することを特徴とする、弾性ペン。
【請求項２】
前記圧力吸収棒は、中空の圧力吸収ブロックを形成し、ペン芯棒は圧力吸収ブロックの中空内部に挿入され、それにより、ペン芯棒は、中空圧力吸収ブロック内部で伸縮することを特徴とする、請求項１に記載の弾性ペン。
【請求項３】
前記ペングリップは二段式であり、ペングリップ上端には位置決め柱と通孔が設けられ、ペン芯棒に被せられた弾性部材は、圧力吸収キャップによってペングリップと螺合され、さらに、ペングリップは上ペングリップと結合され、それにより、ペン芯棒はペングリップから突出するとともに、伸縮の目的を達成することを特徴とする、請求項１に記載の弾性ペン。
【考案の詳細な説明】
【技術分野】
【０００１】
本考案は弾性ペンに関し、特にペングリップ内のペン芯棒に弾性部材及び圧力吸収棒を被せることで、ペン芯棒のペン先をペングリップ底端のペンヘッドから突出させて字を書くことができ、さらに、ペン芯棒がぶつかったときや圧力を受けたときの力を弾性部材が吸収して、ペン芯棒はペングリップ内で縮み、破損するのを防ぐことができる弾性ペンに関する。
【背景技術】
【０００２】
図１に示すように、従来のペンは、中空のペングリップ１と、ペン芯１０と、バネ１２とによって構成する。ペングリップ１の頂端は凹溝１１を形成し、ペン芯１０の上端には係止部１０１が設けられる。バネの一端は、ペングリップ１頂端の凹溝１１内に当接し、他端は、ペン芯１０上端の係止部１０１に当接する。それにより、ペン芯１０を、バネ１２の弾力によって上下に伸縮させることができる。従って、ペン芯１０が外から衝撃を受けた時（図２に図示）、バネ１２によってペン芯の衝撃力を緩衝し、ペン芯１０はペングリップ１中空内部で縮み、その後、バネ１２の回復力によってペン芯１０は押し出されて使用できるようになるため、ペンは破損しない。もちろん、ペン芯１０の末端に設けるバネの方式は、様々な構造があるが、いずれにしても以下の欠点がある。
【０００３】
１、ペングリップ１とペン芯１０のバネ１２への設置に関し、バネ１２の造型にあわせて、ペングリップ１の頂端とペン芯１０の上端の設計は変えなければならず、組み立てる時、ある部材をまず被せる必要があり、面倒である。
２、組み立ての問題により、ペン芯１０は単独で生産されていないため、字を書いた後、ペン全体を捨てて新しいペンを購入しなおす必要があり、不経済である。
【考案の概要】
【考案が解決しようとする課題】
【０００４】
そこで、本考案は、衝撃や圧力を受けた時に破損しない弾性ペンを提供することを目的とする。
【課題を解決するための手段】
【０００５】
本考案による弾性ペンは、ペングリップ内のペン芯棒の適切な箇所に係止部が設けられるとともに、ペン芯棒には弾性部材が被せられ、弾性部材は係止部に当接し、ペン芯棒上端には圧力吸収棒が被せられ、圧力吸収棒の底端は弾性部材に当接し、圧力吸収棒の頂端はペングリップ上端に当接する。
【考案の効果】
【０００６】
本考案は、ペン芯のペン先がペングリップ底端のペンヘッドから突出して字を書くことができ、また、弾性部材と圧力吸収棒の緩衝力により、字を書いている時に、ペン先は柔軟な弾性を有し、硬くて不快な感覚が生じない。特に、不注意でペンを地面に落してしまった場合や、ペン先にわざと圧力をかけた場合、ペン芯棒は、弾性部材によって衝撃と圧力を吸収し、それにより、ペン芯棒はペングリップ内で収縮し、破損や断水が生じない。        
【図面の簡単な説明】
【０００７】
【図１】従来のペンを示した断面図である。
【図２】従来のペンを圧縮させた状態を示した断面図である。
【図３】本考案の実施例１を示した分解斜視図である。
【図４】本考案の実施例１を示した斜視図である。
【図５】本考案の実施例１の断面図である。
【図６】本考案の実施例１を圧縮させた状態を示した断面図である。
【図７】本考案の実施例２を示した分解斜視図である。
【図８】本考案の実施例２を示した斜視図である。
【図９】本考案の実施例２の断面図である。
【図１０】本考案の実施例２を圧縮させた状態を示した断面図である。
【図１１】本考案の実施例３を示した分解斜視図である。
【図１２】本考案の実施例３を示した斜視図である。
【図１３】本考案の実施例３の断面図である。
【図１４】本考案の実施例３を圧縮させた状態を示した断面図である。
【考案を実施するための形態】
【０００８】
（実施例１）
まず、図３を参照する。図３は、本考案を示した分解斜視図である。図３に示すように、本考案は、ペングリップ２と、ペン芯棒３と、圧力吸収棒４と、キャップ５とによって構成する。ペングリップ２は中空であり、ペングリップ２の底端はペンヘッド２１を形成し、ペングリップ２の頂端には通孔２２が設けられる。また、ペン芯棒３は、ペングリップ２の中空内部に挿入され、ペン芯棒３の底端はペン先３１であり、ペン芯棒３の上方箇所は係止部３２を形成し、弾性部材３０を被せた時に係止部３２に係止させることができる。ペン芯棒３の上端は、圧力吸収棒４が差し込まれ、底端４１は弾性部材３０に当接する。圧力吸収棒４は、ペングリップ２の通孔２２から差し込まれ、さらに、通孔２２にはキャップ５が設けられてペングリップ２の蓋がされる。それにより、キャップヘッド５１は圧力吸収棒４の頂端４２に当接する。
【０００９】
次に、図３に併せて図４を参照する。図４は、本考案の実施例１の外観を示した斜視図である。本考案の実施例１を組み立てる時は、まず、キャップ５を取り出し、弾性部材３０をペン芯棒３の頂端に被せ、係止部３２に当接させる。その後、圧力吸収棒４をペン芯棒３に被せ、圧力吸収棒４の底端４１を弾性部材３０に当接させる。さらに、ペン芯棒３を圧力吸収棒４と一緒に、ペングリップ２頂端の通孔２２から挿入させ、最後に、キャップ５を通孔２２に挿入させてペングリップ２の蓋をすると、キャップヘッド５１が圧力吸収棒４の頂端４２に当接し、ペン先３１がペングリップ２のペンヘッド２１から突出して、字を書くことができる。
【００１０】
次に、図５を参照する。図５は、本考案の実施例１の側面断面図である。本考案の実施例１を使用する時は、ペン芯棒３をペングリップ２内に挿入すると、弾性部材３０及び圧力吸収棒４が係止することにより、ペン先３１がペンヘッド２１から突出して、字を書くことができる。ペンを  不注意で地面に落してしまったり、わざと、ペン先３１に圧力を加えてしまったりした時、ペン芯棒３には圧力吸収棒４が被せられており、頂端４２はキャップ５のキャップヘッド５１の圧力を受けて移動することができないため、ペン芯棒３は弾性部材３０によって縮み、ペン先３１の球と地面が接触して損傷したり断水したりするのを防ぐことができる（図６に図示）。従って、弾性部材３０のもつ衝撃力を緩衝する効果により、ペン芯棒３のペン先３１を保護することができる。また、ペングリップ２の造形や長さがどうであれ、ペン芯棒３はペングリップ２の中空内部に挿入されており、適切な圧力吸収棒４を挿入すると、その頂端４２は、キャップ５のキャップヘッド５１と当節し、それにより、ペン芯棒３のペングリップ２内での伸縮を制御することができる。
【００１１】
（実施例２）
次に、図７を参照する。図７は、本考案の実施例２の分解斜視図である。実施例２は、短いペングリップのペン構造である。ペングリップ６は中空であり、ペングリップ６の上端は密閉されており、ペングリップ６の底端は開口を形成してペンヘッド６０を連結させることができる。ペン芯棒６１は、実施例１と同様に、係止部６１０を形成し、ペン芯棒６１の上端には弾性部材６２が被せられ、弾性部材６２の頂端には、圧力吸収ブロック６３が被せられる。圧力吸収ブロック６３は、弾性部材６２に被せられ、それによりペン芯棒６１を伸縮させることができる。
【００１２】
図７を組み立てた状態を図８に示す。組み立てる時は、まず、ペン芯棒６１に弾性部材６２を被せ、更に、圧力吸収ブロック６３を弾性部材６２に被せる。その後、圧力吸収ブロック６３をペングリップ６底端の開口から挿入し、圧力吸収ブロック６３をペングリップ６中空内部の頂端に当接させる。さらに、ペンヘッド６０をペングリップ６に螺合させると、本考案の組み立てが完成する。
【００１３】
本考案の実施例２を使用する時は、図９に示すように、ペン芯棒６１を弾性部材６２及び圧力吸収ブロック６３と一緒にペングリップ６の中空内部に入れた後、ペンヘッド６０を螺合すると、ペン芯棒６１がペンヘッド６０から突出して字を書くことができる。また、ペン芯棒が衝撃や圧力を受けた時、弾性部材６２は圧縮するが、圧力吸収ブロック６３は固定されているため、ペン芯棒６１がスライド経路６３０内を移動することができ（図１０に図示）、それにより、ペン芯棒６１が伸縮する目的を達することができる。
【００１４】
（実施例３）
図１１を参照する。図１１は、本考案の実施例３を示した分解斜視図である。ペングリップ７は二段式であり、ペングリップ７は上ペングリップ７０と結合される。また、ペングリップ７の底端はペンヘッド７１を形成し、ペングリップ７の頂端には、通孔７２と位置決め柱７２１が設けられる。ペン芯棒８には、実施例１と同様に、係止部８１と弾性部材８２とが設けられ、更に、圧力吸収キャップ８３が設けられる。以上の部材を組み立てる時は、まず、弾性部材８２をペン芯棒８に被せるとともに、係止部８１に係止させ、その後、圧力吸収キャップ８３をペン芯棒８に被せる。そして、さらに、ペングリップ７を挿入させると、ペン芯棒８はペンヘッド７１から突出するとともに、圧力吸収キャップ８３はペングリップ７頂端の通孔７２に当接する。最後に、上ペングリップ７０を螺合すると、実施例３の組み立てが完成する（図１２に図示）。
【００１５】
本考案の実施例３を使用する時は、図１３に示すように、ペン芯棒８を弾性部材８２に挿入させた後、ペングリップ７の頂端の通孔７２に挿入させる。そして、圧力吸収キャップ８３を通孔７２上端の位置決め柱７２１に螺合させると、ペン芯棒８がペンヘッド７１から突出し、弾性部材８２がペングリップ７内に当接し、さらに、ペン芯棒８が通孔７２から突出する。最後に、上ペングリップ７０をペングリップ７に螺合させると、実施例３の組み立てが完成する。ペン芯棒８が、衝撃や圧力を受けた時、弾性部材８２を押し、それにより、弾性部材が圧力吸収キャップ８３によって圧縮される。即ち、ペン芯棒８をペングリップ７内で伸縮させることができ（図１４に図示）、使用の目的を達成することができる上、ペン芯棒を落とした時、或いは圧力を受けた時に破損したり断水する現象が生じるのを防ぐことができる。
【符号の説明】
【００１６】
（従来技術）
１      ペングリップ
１０    ペン芯
１１    凹溝
１２    バネ
１０１  係止部
（本考案）
２、６、７          ペングリップ
２１、６０、７１    ペンヘッド
２２、７２          通孔
３、６１、８        ペン芯棒
３０、６２、８２    弾性部材
３１                ペン先
３２、６１０、８１  係止部
４                  圧力吸収棒    
４１                底端
４２                頂端
５                  キャップ              
５１                キャップヘッド
６３                圧力吸収ブロック
６３０              スライド経路                                
７０                上ペングリップ  
７２１              位置決め柱          
８３                圧力吸収キャップ
【図１】
0003170792.tif 000003
【図２】
0003170792.tif 000004
【図３】
0003170792.tif 000005
【図４】
0003170792.tif 000006
【図５】
0003170792.tif 000007
【図６】
0003170792.tif 000008
【図７】
0003170792.tif 000009
【図８】
0003170792.tif 000010
【図９】
0003170792.tif 000011
【図１０】
0003170792.tif 000012
【図１１】
0003170792.tif 000013
【図１２】
0003170792.tif 000014
【図１３】
0003170792.tif 000015
【図１４】
0003170792.tif 000016